(57)【要約】【課題】ハイビジョンＳＤＩ信号における、有効走査線が互いに異なる映像信号を自動判定することで、放送局における編集担当者の負担を大幅に軽減するとともに、判定精度の向上を図る。【解決手段】信号の判定処理を２段階に分け、第１段階では、第１判定手段１１で、ブランキング情報に基づき、１０３５信号と、１０８０信号および擬似１０８０信号（１０８０信号のブランキング情報を有する１０３５信号）のグループとを判別し、第２段階では、所定走査線の映像信号に基づいて、１０８０信号と擬似１０８０信号とを判別する。第１判定手段１１により１０３５信号と判定された場合は１０３５報知信号が、第２判定手段１２により１０８０信号と判定された場合は１０８０報知信号が、第２判定手段１２により擬似１０８０信号と判定された場合は擬似１０８０報知信号が、各々出力され、これにより各々の出力信号に応じたＬＥＤが点灯されるようになっている。【選択図】　　　　　図１
2004056571.tif 000002
【特許請求の範囲】
【請求項１】
入力されたハイビジョンＳＤＩ信号が、１０３５本有効走査線映像に係る信号であるのか、１０８０本有効走査線映像に係る信号であるのかを判定する異種有効走査線映像判定装置であって、
ハイビジョンＳＤＩ信号を入力され、そのハイビジョンＳＤＩ信号のブランキング情報を検出し、検出された該ブランキング情報に基づき、前記１０３５本有効走査線映像に係る信号であると認識されたものについては１０３５本有効走査線映像に係る信号であることを報知する１０３５報知信号を出力する一方、前記検出されたブランキング情報に基づき、前記１０８０本有効走査線映像に係る信号であると認識されたものについては、暫定的な１０８０本有効走査線映像に係る信号としてそのまま出力する第１の判定手段と、
該第１の判定手段から出力された前記暫定的な１０８０本有効走査線映像に係る信号を入力され、該入力された信号における、１０３５本有効走査線映像に係る信号ではブランキング期間となるが１０８０本有効走査線映像に係る信号ではブランキング期間とはならない不確定走査線領域の映像信号レベル情報を検出し、少なくとも該映像信号レベル情報に基づき、１０３５本有効走査線映像に係る信号であると認識されたものについては擬似１０８０報知信号を出力する一方、少なくとも前記映像信号レベル情報に基づき、１０８０本有効走査線映像に係る信号であると認識されたものについては１０８０本有効走査線映像に係る信号であることを報知する１０８０報知信号を出力する第２の判定手段と、
を備えたことを特徴とする異種有効走査線映像判定装置。
【請求項２】
前記第２の判定手段においては、前記第１の判定手段から出力された前記暫定的な１０８０本有効走査線映像に係る信号に対し、前記不確定走査線領域の映像信号レベル情報を検出するとともに、前記２つの有効走査線映像に係る信号のいずれもがブランキング期間とはならない映像データ走査線領域の映像信号レベル情報を検出し、
前記検出された不確定走査線領域の映像信号レベル情報が所定の第１閾値よりも低いと判定され、かつ前記検出された映像データ走査線領域の映像信号レベル情報が前記第１閾値のレベル以上のレベルに設定された第２閾値よりも高いと判定された場合には、１０３５本有効走査線映像に係る信号であると認識するように構成されていることを特徴とする請求項１記載の異種有効走査線映像判定装置。
【請求項３】
前記検出された不確定走査線領域の中から選択された複数の走査線全ての映像信号レベル情報が前記第１閾値よりも低いと判定され、かつ前記検出された映像データ走査線領域の中から選択された複数の走査線のうち少なくとも１つの映像信号レベル情報が前記第２閾値よりも高いと判定された場合には、１０３５本有効走査線映像に係る信号であると認識するように構成されていることを特徴とする請求項２記載の異種有効走査線映像判定装置。
【請求項４】
前記請求項１〜３のうちいずれか１項記載の異種有効走査線映像判定装置を備えるとともに、
この異種有効走査線映像判定装置に入力されるハイビジョンＳＤＩ信号の入力タイミングに同期して、該ハイビジョンＳＤＩ信号を入力され、前記１０３５本有効走査線映像に係る信号と前記１０８０本有効走査線映像に係る信号の一方の信号から他方の信号に変換して出力するラインコンバータと、
前記異種有効走査線映像判定装置に入力されるハイビジョンＳＤＩ信号の入力タイミングに同期して、該ハイビジョンＳＤＩ信号を入力され、該ハイビジョンＳＤＩ信号を、前記ラインコンバータの信号処理に要する時間に相当する所定時間だけ遅延せしめて出力する信号遅延手段と、
前記異種有効走査線映像判定装置からの前記１０３５報知信号、擬似１０８０報知信号および１０８０報知信号をスイッチャー制御信号として入力されるとともに、前記ラインコンバータからの出力信号および前記信号遅延手段からの出力信号を入力され、前記ラインコンバータが、１０３５本有効走査線映像に係る信号を１０８０本有効走査線映像に係る信号に変換する設定とされている場合には、前記スイッチャー制御信号が前記１０３５報知信号または擬似１０８０報知信号となっているときに前記ラインコンバータからの入力信号を出力し、前記スイッチャー制御信号が前記１０８０報知信号となっているときに前記信号遅延手段からの入力信号を出力するように出力信号の切替えを行なう出力信号切替手段と、
を備えてなることを特徴とする異種有効走査線映像変換装置。
【請求項５】
前記出力信号切替手段は、出力信号が１０３５本有効走査線映像に係る信号となるように機能する１０３５本有効走査線映像選択スイッチを備え、該１０３５本有効走査線映像選択スイッチがＯＮ状態とされた場合は、
前記スイッチャー信号が前記１０３５報知信号または擬似１０８０報知信号のときには、前記ラインコンバータからの入力信号を出力するのに代えて、前記信号遅延手段からの入力信号を出力し、
前記スイッチャー信号が前記１０８０報知信号のときには、前記信号遅延手段からの入力信号を出力するのに代えて、１０８０本有効走査線映像に係わる信号を１０３５本有効走査線映像に係わる信号に変換する前記ラインコンバータからの入力信号を出力するように、
出力信号の切替えを行なうことを特徴とする請求項４記載の異種有効走査線映像変換装置。
【請求項６】
前記ハイビジョンＳＤＩ信号に同期して入力されたＬＴＣ信号および音声信号を前記所定時間だけ遅延せしめて出力する信号遅延手段を備えたことを特徴とする請求項５記載の異種有効走査線映像変換装置。
【発明の詳細な説明】
【０００１】
【発明の属する技術分野】
本発明は、テレビジョン番組制作における映像処理等に用いられる異種有効走査線映像判定装置およびこれを搭載した異種有効走査線映像変換装置に関し、
詳しくは、ハイビジョンＳＤＩ（シリアル・ディジタル・インタフェース）信号の有効走査線が１０８０本である映像信号と１０３５本である映像信号とが共存している場合において、その両者を確実に判定し、さらには両映像信号間における所望の変換を行い得る装置に関するものである。
【０００２】
【従来の技術】
ハイビジョン放送は、従来のテレビジョン放送（ＮＴＳＣ方式、ＰＡＬ方式、ＳＥＣＡＭ方式等）とは全く異なる統一規格により、極めて高画質で臨場感溢れる映像を実現させた放送システムである。
ハイビジョン信号は、走査線数が１１２５本でＮＴＳＣ方式の２倍以上であり、画面のアスペクト比は１６：９であってＮＴＳＣ方式よりも横長となっている。
【０００３】
ところで、ハイビジョン信号においては、走査線数が１１２５本と規格統一されているが、アナログハイビジョン放送からディジタルハイビジョン放送に移行した経緯もあって、放送局においては、その有効走査線数が１０３５本の方式と１０８０本の方式とが並存した状態となっている。１０３５本の方式のものは順次１０８０本の方式のものヘ移行される予定であるが、まだ過去に制作された１０３５本の方式の素材（テープ等）が数多く残存している現状においては、素材からのハイビジョン信号の有効走査線数が１０３５本の方式のものであるのか、１０８０本の方式のものであるのかを確実に判定し、放送映像が所望の映像と異なってしまう（例えば、同じ番組内で映像の変わり目で上下に黒身が出たり、出なかったりする）という放送事故を未然に防止する必要がある。
【０００４】
このような異種有効走査線の映像信号を判定する手法としては、従来、ハイビジョンＳＤＩ信号の所定領域（各水平走査線に相当する領域内におけるＥＡＶおよびＳＡＶのブランキング情報格納領域）にフラグが立っているか否かを判別して、有効走査線数が１０３５本の方式のもの（以下１０３５信号と称する）であるのか、１０８０本の方式のもの（以下１０８０信号と称する）であるのかを判定し、これに基づいてラインコンバートのＯＮ／ＯＦＦを行なう装置（ＨＤ−ＳＤＩスタンダードコンバータ；アストロデザイン社製）による手法が知られている。
【０００５】
【発明が解決しようとする課題】
しかしながら、上述した装置においては、ブランキング情報のみから映像信号の種類を判定しているので、有効走査線数が異なる全ての映像信号を確実に判定することはできなかった。
【０００６】
すなわち、ハイビジョンＳＤＩ信号には、▲１▼ハイビジョンＳＤＩ信号のブランキング情報から判断できる１０３５信号、▲２▼ハイビジョンＳＤＩ信号のブランキング情報から判断できる１０８０信号、のほかに、▲３▼ハイビジョンＳＤＩ信号のブランキング情報は１０８０信号であるが、実際の映像信号の有効走査線数は１０３５本であり、映像モニタで見ると上下のブランキング領域に、さらに黒身がついた領域が存在する状態となってしまう信号が存在しており、このような信号についての判定は上記従来技術では対応できない。
【０００７】
そこで、上記▲３▼の信号については、編集の段階で、編集担当者が映像画面の上下各部に現われる黒身を目視で確認し、ラインコンバータやＤＶＥ等を用いて、映像中の黒身を手作業で補完していた。
【０００８】
しかしながら、このような状況は、現在の放送局において頻繁に発生していることから、編集担当者は、安定な放送を実現するために膨大な作業をしいられており、また、その検査ミスが前述したような放送事故に直結するため、神経を遣う作業を余儀なくされていた。
【０００９】
本発明はこのような事情に鑑みなされたものであり、ハイビジョンＳＤＩ信号における、有効走査線数が互いに異なる映像信号を確実に自動判定することで、放送局における編集担当者の負担を大幅に軽減するとともに、判定精度の向上を図りうる異種有効走査線映像判定装置を提供することを目的とするものである。
【００１０】
また、ハイビジョンＳＤＩ信号における、有効走査線数が互いに異なる映像信号を確実に自動判定するとともに、所望の有効走査線数の映像信号のみを確実に出力し、番組途中で有効映像領域の異なる放送映像に切り替わってしまうという事態を確実に防止し得る異種有効走査線映像変換装置を提供することを目的とするものである。
【００１１】
【課題を解決するための手段】
本発明の異種有効走査線映像判定装置および異種有効走査線映像変換装置は上述した如き本発明の目的を達成するために以下のような構成とされている。
【００１２】
すなわち、本発明の異種有効走査線映像判定装置は、入力されたハイビジョンＳＤＩ信号が、１０３５本有効走査線映像に係る信号であるのか、１０８０本有効走査線映像に係る信号であるのかを判定する異種有効走査線映像判定装置であって、
ハイビジョンＳＤＩ信号を入力され、そのハイビジョンＳＤＩ信号のブランキング情報を検出し、検出された該ブランキング情報に基づき、前記１０３５本有効走査線映像に係る信号であると認識されたものについては１０３５本有効走査線映像に係る信号であることを報知する１０３５報知信号を出力する一方、前記検出されたブランキング情報に基づき、前記１０８０本有効走査線映像に係る信号であると認識されたものについては、暫定的な１０８０本有効走査線映像に係る信号としてそのまま出力する第１の判定手段と、
該第１の判定手段から出力された前記暫定的な１０８０本有効走査線映像に係る信号を入力され、該入力された信号における、１０３５本有効走査線映像に係る信号ではブランキング期間となるが１０８０本有効走査線映像に係る信号ではブランキング期間とはならない不確定走査線領域の映像信号レベル情報を検出し、少なくとも該映像信号レベル情報に基づき、１０３５本有効走査線映像に係る信号であると認識されたものについては擬似１０８０報知信号を出力する一方、少なくとも前記映像信号レベル情報に基づき、１０８０本有効走査線映像に係る信号であると認識されたものについては１０８０本有効走査線映像に係る信号であることを報知する１０８０報知信号を出力する第２の判定手段と、
を備えたことを特徴とするものである。
【００１３】
また、本発明の異種有効走査線映像変換装置は上記異種有効走査線映像判定装置を備えるとともに、
この異種有効走査線映像判定装置に入力されるハイビジョンＳＤＩ信号の入力タイミングに同期して、該ハイビジョンＳＤＩ信号を入力され、前記１０３５本有効走査線映像に係る信号を前記１０８０本有効走査線映像に係る信号に変換して出力するラインコンバータと、
前記異種有効走査線映像判定装置に入力されるハイビジョンＳＤＩ信号の入力タイミングに同期して、該ハイビジョンＳＤＩ信号を入力され、該ハイビジョンＳＤＩ信号を、前記ラインコンバータの信号処理に要する時間に相当する所定時間だけ遅延せしめて出力する信号遅延手段と、
前記異種有効走査線映像判定装置からの前記１０３５報知信号、擬似１０８０報知信号および１０８０報知信号をスイッチャー制御信号として入力されるとともに、前記ラインコンバータからの出力信号および前記信号遅延手段からの出力信号を入力され、前記スイッチャー制御信号が前記１０３５報知信号または擬似１０８０報知信号となっている場合には前記ラインコンバータからの入力信号を出力し、前記スイチャー制御信号が前記１０８０報知信号となっている場合には前記信号遅延手段からの入力信号を出力するように出力信号の切替えを行なう出力信号切替手段と、
を備えてなることを特徴とするものである。
【００１４】
なお、上記信号遅延手段とは、前述したように上記ラインコンバータの信号処理に要する時間に相当する所定時間だけ遅延せしめて出力する手段であって、通常は上記所定時間が１映像フレームに相当する期間であるが、上記所定時間はこれに限られるものではなく、その他の種々の期間を選択可能であり、例えば１フィールドに相当する期間とすることも可能である。
【００１５】
【発明の実施の形態】
以下本発明の一実施形態に係る異種有効走査線映像判定装置およびこれを搭載した異種有効走査線映像変換装置について、図面を用いて説明する。
【００１６】
≪異種有効走査線映像判定装置≫
図１は、本発明の一実施形態に係る異種有効走査線映像判定装置１を示すブロック図である。すなわち、この判定装置１は、入力されたハイビジョンＳＤＩ信号が、１０３５本有効走査線映像に係る信号であるのか、１０８０本有効走査線映像に係る信号であるのかを判定する装置であって、ハイビジョンＳＤＩ信号のブランキング情報に基づく判定を行なう第１判定手段１１、および所定走査線の映像信号に基づく判定を行なう第２判定手段１２を備えている。
【００１７】
ところで、現在、ハイビジョンＳＤＩ信号の種類によって有効走査線数が１０３５本のもの（１０３５信号）と１０８０本のもの（１０８０信号）が並存しており、その判定は、原理的にはハイビジョンＳＤＩ信号のブランキング情報を検出することにより行なうことができる。しかしながら、実際には、ハイビジョンＳＤＩ信号のブランキング情報からは１０８０信号として認識されるが、表示された映像は１０３５信号映像における上下のブランキング領域に黒身の領域がついた状態とされるもの（以下、擬似１０８０信号と称する）が存在する。これは、本来１０３５信号ではあるが、種々の事情でブランキング情報が１０８０信号用のものとなってしまったものであり、そのまま１０８０信号として処理されることで、ブランキング領域の一部が映像データ領域として処理され、結果としてその部分が黒身として表示されてしまうことによる。
【００１８】
すなわち、図２に示すように、信号の種類によって、表示された映像画面の様子が異なり、１０３５信号による映像画面は図２（Ａ）に示す如く画面上下に太いブランキング領域を有し、１０８０信号による映像画面は図２（Ｂ）に示す如く画面上下に細いブランキング領域を有し、さらに、擬似１０８０信号（１０８０信号のブランキング情報を有する１０３５信号）による映像画面は図２（Ｃ）に示す如く、画面上下に細いブランキング領域を有するとともに、各々の内側に黒身がついた領域を有する。
【００１９】
したがって、上記擬似１０８０信号については、ハイビジョンＳＤＩ信号のブランキング情報によって判定することができないこととなる。
【００２０】
そこで本実施形態の判定装置１においては、信号の判定処理を２段階に分け、第１段階においては、上記ブランキング情報に基づいて、１０３５信号と、１０８０信号および擬似１０８０信号のグループ（暫定的な１０８０信号）とを判別するようにし、第２段階においては、所定走査線の映像信号に基づいて、１０８０信号と擬似１０８０信号とを判別するようにしている。
【００２１】
以下、第１判定手段１１による上記第１段階の処理と、第２判定手段１２による上記第２段階の処理について詳細に説明する。
【００２２】
＜第１段階の処理＞
上述したように、第１判定手段１１においては、入力されたハイビジョンＳＤＩ信号のブランキング情報に基づいて、１０３５信号と、１０８０信号および擬似１０８０信号のグループ（暫定的な１０８０信号）とを判別する。
【００２３】
ハイビジョンＳＤＩ信号のブランキング情報とは、図５に示す如きハイビジョンＳＤＩ信号の１ライン分のフォーマット５０において、映像データの領域５１の前後に配される、ＳＡＶ（Ｓｔａｒｔ　ｏｆ　Ａｃｔｉｖｅ　Ｖｉｄｅｏ）およびＥＡＶ（Ｅｎｄ　ｏｆ　Ａｃｔｉｖｅ　Ｖｉｄｅｏ）の４データ目に含まれている１ビットからなるフラグである。
【００２４】
各データは１０ビットで表されており、ＳＡＶおよびＥＡＶの各４データ目に位置するＸＹＺデータ５２、５３の第７ビット（ブランキング情報）はフィールドブランキング期間ならば１（フラグが立っている状態）に設定され、その他の部分では０（フラグが立っていない状態）に設定されることが規格で定められている。したがって、１０３５信号ではブランキング期間であるが１０８０信号では映像データの期間となる部分の走査線（以下ラインと称することがある）について、このブランキング情報を検出し、検出値が１ならば１０３５信号、逆に０ならば１０８０信号と判定することができる。
【００２５】
第１判定手段１１においては、このような手法に基づいて１０３５信号と１０８０信号の判別を行なっている。
【００２６】
なお、ハイビジョンＳＤＩ信号のブランキング期間は、１０３５信号では、１〜４０、５５８〜６０２、１１２１〜１１２５の各ラインとされ、一方１０８０信号では１〜２０、５６１〜５８３、１１２４〜１１２５の各ラインとされているから、例えば、１０３５信号ではブランキング期間であるが１０８０信号では映像データ期間となる２１ライン目から４０ライン目のうちのいずれかのラインについて上記ブランキング情報を検出することにより、１０３５信号か１０８０信号かの判定を行うことができる。
【００２７】
ただし、ここで判定された１０８０信号は、実際には上述した擬似１０８０信号を含んでいるので、真の１０８０信号であるのか擬似１０８０信号であるのかという判定は、次に説明する第２判定手段１２による第２段階の処理により行なわれる。
【００２８】
＜第２段階の処理＞
上述したように、第２判定手段１２においては、入力されたハイビジョンＳＤＩ信号の所定ラインの映像信号に基づいて、１０８０信号と擬似１０８０信号の判別を行なう。
【００２９】
すなわち、１０３５信号（擬似１０８０信号）においては、４０ライン目にブランキング期間と映像データ期間との境界があり、一方１０８０信号においては、４０ライン目にブランキング期間と映像データ期間との境界は存在しないので、この４０ライン目の前後のラインにおける映像信号のレベルを比較することにより１０８０信号と擬似１０８０信号の判別を行なう。なお、１０３５信号（擬似１０８０信号）においては、４０ライン目以外にもブランキング期間と映像データ期間との境界が存在する（例えば５５８ライン目）が、以下では、４０ライン目の境界を利用する場合を例にとって説明する。ただし、その他の境界を利用するようにしても勿論かまわない。
【００３０】
具体的な判定手法としては、入力されたハイビジョンＳＤＩ信号の２１〜４０ラインにおける各ラインの映像信号レベル（輝度信号レベル；以下同じ）と、４１ライン以降における各ライン（映像データ期間）の映像信号レベルを検出し、２１〜４０ラインの各ラインの映像信号レベルと、１％輝度レベルに設定された第１閾値とを比較するとともに、４１ライン以降の各ラインの映像信号レベルと２％輝度レベルに設定された第２閾値とを比較する。
【００３１】
この結果、２１〜４０ラインの各ラインの映像信号レベルが全て１％以下であり、４１ライン以降（映像データ期間）の各ラインの映像信号レベルのいずれかが２％以上であった場合には１０３５信号（擬似１０８０信号）と判定し、そうでない場合（２１〜４０ラインの各ラインの映像信号レベルの少なくとも１つが１％以下ではない場合）は１０８０信号と判定する。
【００３２】
これは、１０３５信号のブランキング期間の映像信号レベルは０％のレベルであり、その一方、実際のカメラ映像等における映像データ期間では、レベルが０％よりも大きいペデスタルレベルの上に輝度信号が重畳されていることから、映像データ期間の映像信号は少なくとも２％以上のレベルを有していることを利用したものである。
【００３３】
なお、上記第１および第２の閾値としては、その状況に応じ、種々の値に設定可能であり、第１および第２の閾値を同一値とすることも可能である。また、２１〜４０ラインのうちの所定のラインについてのみ上記第１閾値と比較し、４１ライン以降（映像データ期間）のうちの所定のラインについてのみ上記第２閾値と比較することにより、判定時間の効率化を図ることができる。
【００３４】
また、１０３５信号において、理論的には４０ライン以前のラインは映像信号として０％レベルとされているが、実際の映像信号では４０ライン以前の数ラインにおいて４１ライン以降のラインの映像信号から漏れが生じている場合がある。このため、判定精度を向上させる上で、４０ライン直前の数ラインを判定対象から排除することが肝要である。
【００３５】
また、上記擬似１０８０信号において１０３５信号用の色補正をした場合、１０３５信号のブランキング期間のレベルが０％よりも大きいレベルとなることがある。この場合には、１０３５信号において、２１ラインから４０ラインまでの映像信号がフラットなレベルを有し、かつ、４１ライン以降の映像信号がそのレベルよりも所定量大きいという条件を加味して、上記擬似１０８０信号（１０３５信号）の判定を行なうようにしてもよい。
【００３６】
さらに、上述した判定手法では、映像信号のうち、特に輝度信号を用いて行なうものについて説明しているが、所定のラインにおいて、１０３５信号（擬似１０８０信号）および１０８０信号を識別することができれば、例えば映像信号のうちクロマ信号を用いるようにしてもよい。
【００３７】
＜報知信号および表示＞
本実施形態の異種有効走査線映像判定装置１においては、図１に示すように、第１判定手段１１により１０３５信号であると判定されたものについては、第１判定手段１１から１０３５報知信号が出力され、これに基づいてＬＥＤ１が点灯される。また、第２判定手段１２により１０８０信号であると判定されたものについては、第２判定手段１２から１０８０報知信号が出力され、これに基づいてＬＥＤ２が点灯される。さらに、第２判定手段１２により擬似１０８０信号であると判定されたものについては、第２判定手段１２から擬似１０８０報知信号が出力され、これに基づいてＬＥＤ３が点灯される。
【００３８】
このように、判定した信号の種類をＬＥＤ表示により識別できるようにしているので、信号判定の自動化を図りつつも、オペレータの確認作業を極めて容易に行なうことができる。
【００３９】
≪異種有効走査線映像変換装置≫
本発明の一実施形態に係る異種有効走査線映像変換装置１０は、全てのハイビジョンＳＤＩ信号を１０８０信号にそろえて出力する装置であって、図３に示すように、上述した異種有効走査線映像判定装置１を備えるとともに、この異種有効走査線映像判定装置１に入力されるハイビジョンＳＤＩ信号の入力タイミングと同期して、このハイビジョンＳＤＩ信号が入力されるラインコンバータ２１および１フレームディレイ手段２２と、上記判定装置１からの前述した報知信号をスイチャー制御信号として入力されるとともに、ラインコンバータ２１からの出力信号および１フレームディレイ手段２２からの出力信号を入力され、上記スイチャー制御信号に基づき、上記ラインコンバータ２１からの入力信号または１フレームディレイ手段２２からの入力信号のいずれかを出力するように出力信号の切替えを行なうスイッチャー２３とを備えている。
【００４０】
すなわち、上記判定装置１においては、ハイビジョンＳＤＩ信号の種類が判定され、その判定結果が報知信号として出力されるので、その出力信号を検出すれば、現在のハイビジョンＳＤＩ信号が１０３５信号であるのか、１０８０信号であるのかが判断できる。
【００４１】
したがって、ハイビジョンＳＤＩ信号を１０３５信号から１０８０信号に変換した信号と、元の信号状態のまま出力されるハイビジョンＳＤＩ信号とを並列に信号切替手段に入力させ、上記報知信号が１０３５報知信号の場合には、１０３５信号から１０８０信号に変換した信号を出力するように、一方、上記報知信号が１０８０報知信号の場合には、元の信号状態のハイビジョンＳＤＩ信号を出力するように信号切替手段を切り替えればよいことになる。
【００４２】
そこで、この変換装置１０においては、ハイビジョンＳＤＩ信号を１０３５信号から１０８０信号に変換する手段としてラインコンバータ２１を設けている。また、上記判定装置１および上記ラインコンバータ２１においては、信号処理を行なうために処理時間を要するので、時間軸をそろえるために、元の信号状態のハイビジョンＳＤＩ信号が通過する信号経路に１映像フレーム遅延させる１フレームディレイ手段２２を設けている。
【００４３】
さらに、上記信号切替手段としてスイッチャー２３を設け、判定装置１からの報知信号がスイチャー制御信号として入力されるように、また、ラインコンバータ２１からの出力信号および１フレームディレイ手段２２からの出力信号が入力されるように構成している。
【００４４】
なお、ラインコンバータ２１はコンバートする入力と出力の有効走査線映像（１０３５本有効走査線映像と１０８０本有効走査線映像）の入替設定ができるようになっている。
【００４５】
これにより、この変換装置１０からは、ＬＥＤ１およびＬＥＤ３が点灯しているタイミングにおいては、ラインコンバータ２１からの入力信号が出力され、ＬＥＤ２が点灯しているタイミングにおいては１フレームディレイ手段２２からの入力信号が出力されることになる。ただし、この出力信号の切替えはブランキング期間に行なうことにより、映像画面内に映像の乱れ（ノイズ）が生じるのを防止することができる。
【００４６】
これにより、入力されるハイビジョンＳＤＩ信号の種類によらず、常に良好な１０８０信号を得ることができる。また、信号変換作業の自動化が可能となるので、その際における編集者（オペレータ）の負担を大幅に軽減することが可能である。
【００４７】
図４は、上述した異種有効走査線映像変換装置１０から出力されるハイビジョンＳＤＩ信号にＬＴＣ（Ｌｏｎｇｉｔｕｄｉｎａｌ　Ｔｉｍｅ　Ｃｏｄｅ）信号および音声信号を同期させたものである。以下、上記異種有効走査線映像変換装置１０に、ＬＴＣ信号に対する１フレームディレイ手段３０および音声信号に対する１フレームディレイ手段４０を付帯させたものを、便宜的に異種有効走査線映像変換装置１００と称することとする。
【００４８】
前述したように、異種有効走査線映像変換装置１０においては、入力信号と出力信号との間に１映像フレーム分の遅延があるので、この変換装置１０に入力されるハイビジョンＳＤＩ信号と同期するＬＴＣ入力信号および音声入力信号について１映像フレーム分の遅延を与えて、ＬＴＣ出力信号および音声出力信号についても、変換装置１０から出力されたハイビジョンＳＤＩ信号と時間軸を合わせるようにしている。
【００４９】
これにより、異種有効走査線映像変換装置１００から出力された３つの信号、すなわち、ハイビジョンＳＤＩ信号、ＬＴＣ入力信号および音声入力信号はともに時間軸が合わされて出力され、異種有効走査線映像変換装置１００の後段に位置する装置への信号入力が円滑に行なわれるようになる。
【００５０】
また、図５において、実際にはＥＡＶの後に、ラインナンバデータ、ＣＲＣデータおよび補助データ等の各データ領域が存在するが、これらの領域については、上述した各処理がなされることがないので、これらの領域中のデータは上述した処理の有無に拘わらず当初の状態が維持されることになる。
【００５１】
なお、本発明の異種有効走査線映像判定装置および異種有効走査線映像変換装置は上記実施形態のものに限られるものではなく、その他の種々の態様の変更が可能である。例えば、上記実施形態のものにおいては、最終的に１０８０信号として出力するようにしているが、信号出力切替手段に１０３５本有効走査線映像選択スイッチを設け、これがオンされたときはこの情報とスイッチャー制御信号の種類に基づき、適宜ラインコンバータ出力と信号遅延手段出力を切り替えることで、最終的に１０３５信号として出力するようにすることも勿論可能である。
【００５２】
また上記実施形態においては、異種有効走査線映像判定装置から出力された報知信号に応じて、対応するＬＥＤを点灯するようにしているが、ハイビジョンＳＤＩ信号の上記信号種類を報知するための表示手段としては、ＬＥＤやランプを個別に点灯させるものに限られるものではなく、７セグメントＬＥＤとすることも可能であり、その他の表示手段、例えば、ＬＣＤ等の映像表示手段とすることも可能である。
【００５３】
さらに、本発明は異種有効走査線映像判定装置および異種有効走査線映像変換装置に関するものであり、同様の手法により、その他の異なる有効走査線本数における異種有効走査線映像信号の間の変換についても応用可能である。
【００５４】
【発明の効果】
以上説明したように、本発明の異種有効走査線映像判定装置によれば、信号の判定処理を２段階に分け、第１段階においては、第１判定手段１１で、上記ブランキング情報に基づいて、１０３５信号と、１０８０信号および擬似１０８０信号（１０８０信号のブランキング情報を有する１０３５信号）のグループ（暫定的な１０８０信号）とを判別するようにし、第２段階においては、所定走査線の映像信号に基づいて、１０８０信号と擬似１０８０信号との判別を行なうようにしている。
【００５５】
これにより、有効走査線数が互いに異なる映像信号を確実に自動判定することで、放送局における編集担当者の負担を大幅に軽減するとともに、判定精度を大幅に向上させることができる。
【００５６】
さらに、第１段階で１０３５信号であると判定されたものについては１０３５報知信号が出力され、また、第２段階で１０８０信号であると判定されたものについては、１０８０報知信号が出力され、さらに、第２段階で擬似１０８０信号であると判定されたものについては擬似１０８０報知信号が出力されるように構成されているので、これらの報知信号を用い、この後、表示や信号変換の自動化等を容易に行なうことが可能である。
【００５７】
また、本発明の異種有効走査線映像変換装置においては、ハイビジョンＳＤＩ信号を１０３５信号と１０８０信号のうち一方から他方に変換した信号と、元の信号状態のまま出力されるハイビジョンＳＤＩ信号とを並列に信号切替手段に入力し、報知信号の種類および所望の有効走査線映像選択情報に基づいて、前記一方の信号から前記他方の信号に変換した信号を出力したり、または元の信号状態のハイビジョンＳＤＩ信号を出力するように信号切替手段を切り替えているので、ハイビジョンＳＤＩ信号において、所望の有効走査線数の映像信号間の変換を確実に行なうことができる。これにより、番組途中で、異なる有効映像領域の放送映像に切り替わってしまうという事態を確実に防止できる。
【図面の簡単な説明】
【図１】本発明の実施形態に係る異種有効走査線映像判定装置を示すブロック図
【図２】図１に示す異種有効走査線映像判定装置に入力される各ハイビジョンＳＤＩ信号に係る表示映像の違いを示す図（（Ａ）は１０３５信号に係る表示映像、（Ｂ）は１０８０信号に係る表示映像、（Ｃ）は擬似１０８０信号に係る表示映像）
【図３】本発明の実施形態に係る異種有効走査線映像変換装置を示すブロック図
【図４】図３の異種有効走査線映像変換装置に付加機能を施した異種有効走査線映像変換装置を示すブロック図
【図５】ハイビジョンＳＤＩ信号の１映像フレーム分のフォーマットの概念を示す図
【符号の説明】
１　　　　　　　　　異種有効走査線映像判定装置
１０、１００　　　　異種有効走査線映像変換装置
１１　　　　　　　　第１判定手段
１２　　　　　　　　第２判定手段
２１　　　　　　　　ラインコンバータ
２２、３０、４０　　１フレームディレイ手段
２３　　　　　　　　スイッチャー
５０　　　　　　　　フォーマット
【図１】
2004056571.tif 000003
【図２】
2004056571.tif 000004
【図３】
2004056571.tif 000005
【図４】
2004056571.tif 000006
【図５】
2004056571.tif 000007